(57)【要約】【課題】  非選択メモリカードの諸情報をユーザーが容易かつ正確に確認することができる処理装置を提供する。【解決手段】  記録媒体（１１４、１１６）をそれぞれ装着可能な複数の装着部（１１３、１１５）と、複数の装着部に装着された複数の記録媒体の中から使用する記録媒体を選択する選択手段（１１７）と、複数の記録媒体のうち選択された記録媒体以外の非選択記録媒体に関する情報を表示手段に表示させる制御手段（１１７）とを有することを特徴とする処理装置。【選択図】  図６
2006033622.tif 000002
【特許請求の範囲】
【請求項１】
複数の装着部に装着された複数の記録媒体の中から使用する記録媒体を選択する選択手段と、
前記選択手段によって選択されなかった記録媒体である非選択記録媒体に関する情報を表示手段に表示させる表示制御手段とを有することを特徴とする撮像装置。
【請求項２】
操作部材を有し
前記制御手段は、前記操作部材の操作に応じて、前記情報を前記表示手段に表示させることを特徴とする請求項１に記載の撮像装置。
【請求項３】
第１の操作部材と第２の操作部材とを有し、
前記選択手段は、前記第１の操作部材と前記第２の操作部材とが操作されることに応じて前記使用する記録媒体を選択し、
前記制御手段は、前記第１の操作部材が操作されることに応じて前記情報を前記表示手段に表示させることを特徴とする請求項１に記載の撮像装置。
【請求項４】
前記第１の操作部材は、前記使用する記録媒体の選択を可能な状態にするための操作部材であり、
前記第２の操作部材は、該状態において前記使用する記録媒体を選択するための操作部材であることを特徴とする請求項３に記載の撮像装置。
【請求項５】
前記制御手段は、前記選択された記録媒体に関する第１の情報を前記表示手段に表示させた状態における前記操作部材の操作に応じて、前記表示手段の表示内容を前記第１の情報から前記非選択記録媒体に関する第２の情報に切り替えることを特徴とする請求項１から４のいずれか１つに記載の撮像装置。
【請求項６】
前記制御手段は、前記選択された記録媒体に関する第１の情報を第１の表示手段に表示させ、かつ前記非選択記録媒体に関する第２の情報を第２の表示手段に表示させた状態における前記操作部材の操作に応じて、前記第１の情報を前記第２の表示手段に表示させ、かつ前記第２の情報を前記第１の表示手段に表示することを特徴とする請求項１から４のいずれか１つに記載の撮像装置。
【請求項７】
前記情報は、記録媒体の種類、容量、残容量、使用済み容量のうち少なくとも１つを含むことを特徴とする請求項１から６のいずれか１つに記載の撮像装置。
【請求項８】
前記複数の記録媒体の中から使用する記録媒体を選択する選択ステップと、
前記選択ステップで選択されなかった記録媒体である非選択記録媒体に関する情報を表示させる表示制御ステップとを有することを特徴とするコンピュータにより実行可能な処理プログラム。
【発明の詳細な説明】
【技術分野】
【０００１】
本発明は、複数の記録媒体を利用することができる撮像装置に関する。
【背景技術】
【０００２】
従来の撮像装置では、撮像画像を記録保存するために着脱式のメモリカードを装着することができるように構成されたものが一般的であり、近年では、撮像画像の記録枚数を増加させるために、２枚のメモリカードを装着することが可能なように２つのスロットを備えた撮像装置が開示されている（例えば、特許文献１参照）。
【０００３】
この種の撮像装置は、被写体の撮影時にユーザーが、第１のスロットに装着されたメモリカードと、第２のスロットに装着されたメモリカードとのいずれに画像記録を行うかを操作部材を操作することによって指定し、この指定されたメモリカードに対して記録処理を行うことで、ユーザーが所望するメモリカードに対して撮像画像の記録が行われるように構成されている。更に、この撮像装置は、指定されたメモリカードの種類やこのメモリカードに何枚の画像が記録できるかを表す撮影可能枚数が常時表示されるよう構成されている。
【特許文献１】特開２００１−１６９２２４号公報（段落００４４〜００５１）
【発明の開示】
【発明が解決しようとする課題】
【０００４】
しかしながら、上記のような２つのスロットを備える撮像装置では、指定された一方のメモリカード（選択メモリカード）の撮影可能枚数は常時表示されているが、他方のメモリカード（非選択メモリカード）の撮影可能枚数は表示されていない。そのためユーザーは非選択メモリカードの撮影可能枚数を確認したい場合、メモリカードの選択変更を行う必要がある。このような操作は、撮影を急いでいる時などはユーザーへの負担が過大になり、シャッターチャンスを逃すおそれがある。
【０００５】
そこで、本発明は、上記課題に鑑みてなされたものであって、選択されていないメモリカードに関する情報をユーザーが容易かつ正確に確認することができる撮像装置を提供することを目的とする。
【課題を解決するための手段】
【０００６】
上記課題を解決するために本発明に係る撮像装置は、複数の装着部に装着された複数の記録媒体の中から使用する記録媒体を選択する選択手段と、前記選択手段によって選択されなかった記録媒体である非選択記録媒体に関する情報を表示手段に表示させる表示制御手段とを有することを特徴とする。
【発明の効果】
【０００７】
本発明によれば、選択されていない記録媒体の情報も表示することができる。
【発明を実施するための最良の形態】
【０００８】
以下、図面を参照して本発明の好適な実施例を説明する。以下の各実施例では、デジタルカメラ、デジタルビデオカメラ、カメラ付き携帯電話、カメラ付きコンピュータ等のデジタル画像を撮影する機能を有する装置を撮像装置と呼ぶ。
【０００９】
（第１の実施例）
図１及び図２を参照して本発明の第１の実施例に係る撮像装置の一例であるデジタルカメラ１を説明する。ここで、図１は本実施例に係るデジタルカメラ１eの上面の構成を示す図であり、図２はデジタルカメラ１の背面の構成を示す図である。なお、本発明の第１の実施例は、デジタルカメラに限定されるものではなく、デジタルカメラ以外の撮像装置によっても実現することができる。
【００１０】
これらの図において、２はファインダー観察用の接眼窓部である。３はＡＥ（自動露出）ロックボタン、４はＡＦ（オートフォーカス）の焦点検出選択ボタンである。５はデジタルカメラ１を縦に構えた時に使用する縦位置用ＡＥ（自動露出）ロックボタンで、ＡＥロックボタン３と同一の機能を有する。同様に６もデジタルカメラ１を縦に構えた時に使用する縦位置用の焦点検出選択ボタンで、焦点検出選択ボタン４と同一の機能を有する。７は撮影操作を行うためのレリーズボタンである。
【００１１】
８はメイン電子ダイヤルで、他の操作ボタンと併用して、カメラに数値を入力したり、撮影モードを切り替えたりすることが可能となる。
【００１２】
図１及び図２において、９は撮影モード選択ボタン、１０はＡＦモード選択ボタン、１１は測光モード選択ボタンで、調光補正ボタンも兼ねている。
【００１３】
１２は撮影条件等を表示する外部表示機能を備えた第１の液晶表示器（以下、第１のＬＣＤ）である。尚、表示内容の詳細について図３を用いて後述する。
【００１４】
１３は第１のＬＣＤ１２の裏面に設置されている不図示のバックライト照明装置をオン／オフするための表示パネル照明ボタンである。１４は露出の補正を行うための露出補正ボタンである。
【００１５】
図２において、１５は不図示のアイピースシャッターを駆動する、アイピースシャッターレバーである。このアイピースシャッターレバー１５を時計回り方向に回動することにより、不図示のアイピースシャッターが接眼窓部２を覆い接眼窓部からの光の入光を防ぐことができる。１６は視度の調整を行うための、視度補正ダイヤルである。この視度補正ダイヤル１６を回転させることにより、不図示の視度補正レンズが駆動し、視度調整を行うことができる。
【００１６】
１７はメイン電子ダイヤル８と同様の機能を備えた、サブ電子ダイヤルである。撮影モード選択ボタン９とメイン電子ダイヤル８によりマニュアルモードが設定された時には、絞り値の入力設定、プログラムモード（Ｐ）・シャッター優先モード（Ｔｖ）・絞り優先モード（Ａｖ）においては測光した適正露出に対し、カメラの制御露光量を変更する露出補正量の入力設定を行うものである。
【００１７】
１８はこのサブ電子ダイヤル１７による入力機能をロックするダイヤルロックスイッチ、１９はデジタルカメラ１の全ての動作を禁止するメインスイッチである。
【００１８】
２０は撮影画像やデジタルカメラ１の設定状態などが表示される第２の液晶表示器（以下、第２のＬＣＤ）である。
【００１９】
なお、本実施例の第２のＬＣＤ２０は透過型であるため、第２のＬＣＤ２０の駆動だけでは、画像を視認することはできず、その裏面には不図示のバックライト照明装置が設けられている。
【００２０】
２１は画像を記録するための記録媒体が挿入されているメモリスロットを選択するためのメモリスロット選択ボタンである（第１の操作部材）。メモリスロット選択ボタン２１を押した後、サブ電子ダイヤル１７を回転することにより、記録媒体の選択を行うことができる。
【００２１】
２２はカメラの初期設定を行う際に各種モードを選択するためのメニューボタンである。各モードを選択する時は、このメニューボタン２２を押しながらサブ電子ダイヤル１７を回転させ希望のモードを選択する。そして、希望のモードが選択された時、メニューボタン２２を離すと選択が完了する。
【００２２】
その後、選択したモードの機能をオン／オフするためには、選択ボタン２３を押しながらサブ電子ダイヤル１７を回転してオン／オフのどちらかを選択後、選択ボタン２３を離すことで選択が完了する。２４は記録媒体内に記録されている画像ファイルを、第２のＬＣＤ２０に表示させるためのディスプレイボタンである。ディスプレイボタン２４を押しながらサブ電子ダイヤル１７を回転させることで、画像ファイルが順次第２のＬＣＤ２０に表示され、希望の画像を選択後ディスプレイボタン２４を離すことで選択が完了し、第２のＬＣＤ２０に表示される。
【００２３】
２５は記録媒体に記録されている画像ファイルを消去するための消去ボタンで、ディスプレイボタン２３とサブ電子ダイヤル１７にて画像を選択後、消去ボタン２５を押すことで、画像の消去が可能である。
【００２４】
２６は撮影した画像ファイルの圧縮率や画像サイズなどを選択する記録画質選択ボタンで、メニューボタン２２とサブ電子ダイヤル１７とで画質変更モードを選択後、記録画質選択ボタン２６とサブ電子ダイヤル１７にて希望の圧縮率や画像サイズを選択し、記録画質選択ボタン２６を離すことで選択が完了する。
【００２５】
２７は予めカメラ内に記憶されているホワイトバランス調整値を選択するための、ホワイトバランス選択ボタンである。メニューボタン２２とサブ電子ダイヤル１７とでホワイトバランス変更モードを選択後、ホワイトバランス選択ボタン２７とサブ電子ダイヤル１７にて希望のホワイトバランス調整値を選択し、ホワイトバランス選択ボタン２７を離すことで選択が完了する。
【００２６】
２８はメモリスロットカバー開閉つまみで、このメモリスロットカバー開閉つまみ２８を反時計回り方向に回動することで、メモリスロットカバー２９が開放され、中に収納されている記録媒体の装着や取り外しを行うことができる。
【００２７】
３０はアクセスランプであり、装着されている記録媒体に撮影した画像ファイルを書き込む時や、記録媒体に書き込まれた画像ファイルを読み出す場合など記録媒体にアクセス中であるときに点滅する。
【００２８】
さらに、デジタルカメラ１に搭載されたアクセスランプ３０は、２つの異なる色での発光が可能である。これにより、２枚の記録媒体が装着されているときは、アクセスしている記録媒体によって、アクセスランプ３０の色を変えることできるので、撮影者はどちらの記録媒体へアクセスしているかを、確認することができる。
【００２９】
３１（１１３）は、デジタルカメラ１のグリップ部内に配置されている第１のメモリスロットである。３３は第１のメモリスロット３１に装着されている第１のメモリカード１１４を取り外すための、第１のカード取り外しボタンである。
【００３０】
３２（１１５）は、デジタルカメラ１のグリップ部内に配置されている第２のメモリスロットである。３３は第２のメモリスロット３２に装着されている第２のメモリカード１１６を取り外すための、第２のカード取り外しボタンである。３５はデジタルカメラ１を駆動するための電源電池である。
【００３１】
次に、図３を用いて、第１のＬＣＤ１２の表示内容について詳細に説明する。同図において、１２ａは撮影モードの状態を表示しており、本実施例ではマニュアルモードが選択されている。１２ｂは絞り値を７セグメントにて表示し、１２ｃはシャッタースピードを７セグメントにて表示している。
１２ｄは現在選択されているメモリカードでの撮影可能枚数を表示し、１２ｈは選択されているメモリカードの種類を表示している。
【００３２】
なお、デジタルカメラ１には、記録媒体として図４に示すように第１のメモリカード１１４と第２のメモリカード１１６が装着されるが、これらは例えば、一方がコンパクトフラッシュ(登録商標)カード（以下、ＣＦカード）で他方がＳＤメモリカード（以下、ＳＤカード）のように異種類の記録媒体であってもよいし、同種類の記録媒体であってもよい。また、第１及び第２のメモリカード１１４、１１６は、撮影データの記録及び読み出しを行う。
【００３３】
上述のように異種類の記録媒体が使用された場合、ＣＦカードが選択されていれば１２ｈの表示のうちＣＦが表示されＳＤは非表示となり、ＳＤカードが選択されていれば１２ｈの表示のうちＳＤが表示されＣＦは非表示となる。
【００３４】
１２ｅにはＡＦモードの状態が表示され、１２ｆにはドライブモードの状態が表示される。１２ｇは露出補正量をドットにて表示し、１ドット１／３段を表している。１２ｉは電源電池３５の電源残量を表示し、１２ｊは測光モードの状態を表示している。
【００３５】
図４は、デジタルカメラ１の内部構成を示すブロック図である。
【００３６】
第1の実施例に係るデジタルカメラ１は、不図示のマウントを介してデジタルカメラ１に装着された撮影レンズ１５０を駆動するレンズ駆動部１２２、メカニカルシャッター駆動部１２１、撮像素子１００（例えば、ＣＣＤセンサ、ＣＭＯＳイメージセンサ）、アナログ信号処理部１０１、Ａ／Ｄ変換器１０２、画像処理部１０３、内部メモリ１０８、Ｄ／Ａ変換器１０９、第２のＬＣＤ２０、圧縮／解凍部１１２、第１のメモリカード１１４、第２のメモリカード１１６、コントロール部１２０及びＣＰＵ１１７（選択手段、制御手段）から構成されている。
【００３７】
また、撮像素子１００、アナログ信号処理部１０１、Ａ／Ｄ変換器１０２及び画像処理部１０３によって、撮像手段が構成される。
【００３８】
１４３はメインスイッチ１９の操作によってオン／オフされるメインＳＷであり、デジタルカメラ１の全ての動作の作動・非作動を設定する。１４２は、ダイヤルロックスイッチ１８の操作によってオン／オフされるサブ電子ダイヤルＳＷであり、サブ電子ダイヤル１７による入力機能の作動・非作動を設定する。
１２６はレリーズボタン７の第１ストロークによりオンにされる第１レリーズスイッチである。１２７は、レリーズボタン７の第２ストロークによりオンにされる第２レリーズスイッチである。レリーズボタン７は、第１レリーズスイッチ１２６、第２レリーズスイッチ１２７の順にオンにすることができるように構成されている。第１レリーズスイッチ１２６がオンされると測光動作・焦点検出動作が行なわれ、第２レリーズスイッチ１２７がオンされると撮影動作（撮像素子１００への露光など）が開始される。
１２８はメイン電子ダイヤル８の回転に連動して信号を発生するメイン電子ダイヤルＳＷである。メイン電子ダイヤル８の回転で、例えば９０°位相のずれた２ビットの信号をスイッチセンス部に送ることにより、回転方向と回転クリック数が検出される。この回転方向と回転クリック数を検出することにより、他の操作ボタンと併用して、カメラに数値を入力したり、撮影モードを切り替えたりすることが可能となる。
【００３９】
１２９はサブ電子ダイヤル１７の回転に連動して信号を発生するサブ電子ダイヤルＳＷである。サブ電子ダイヤル１７の回転で、例えば９０°位相のずれた２ビットの信号をスイッチセンス部に送ることにより、回転方向と回転クリック数が検出される。この回転方向と回転クリック数を検出することにより、他の操作ボタンと併用して、カメラに数値を入力したり、撮影モードを切り替えたりすることが可能となる。
【００４０】
１４７はＡＥロックボタン３（または縦位置用ＡＥロックボタン５）を押し込む事によってオンするＡＥ（自動露出）ロックＳＷである。１４８は焦点検出選択ボタン４（または縦位置用焦点検出選択ボタン６）を押し込む事によってオンするＡＦ（オートフォーカス）の焦点検出選択ＳＷである。
また、第２のＬＣＤ２０には、映像の表示以外にメモリスロット選択ボタン２１、メニューボタン２２、選択ボタン２３、ディスプレイボタン２４の操作に応じて対応するメニュー・設定項目・選択項目等が表示されるようになっている。
【００４１】
１５０は被写体像を結像面に結像させる撮影レンズであり、デジタルカメラ１に対して着脱可能に装着される。本図では簡略化してあるが、１枚または複数枚のレンズで構成され、単一の焦点距離（固定焦点）のレンズでもよいし、ズームレンズやステップズームレンズ等のように焦点距離可変のレンズでもよい。
【００４２】
１２２は撮影レンズ１５０を駆動するためのレンズ駆動部である。１５１は、露出制御を行うための絞り羽根である。１２３は絞り羽根１５１を駆動するための絞り駆動部である。
【００４３】
１４５は撮影モード選択ボタン９を押し込む事によってオンする撮影モード選択ＳＷ、１４４はＡＦモード選択ボタン１０を押し込むことによってオンするＡＦモード選択ＳＷ、１４６は測光モード選択ボタン１１を押し込むことによってオンする測光モード選択ＳＷであり、調光補正ボタン／ＳＷも兼ねている。例えば、撮影モード選択ボタン９を押しながらメイン電子ダイヤル８を回転させると、Ｔｖ優先→Ａｖ優先→マニアル→プログラム→Ｔｖ優先→Ａｖ優先→マニアル→プログラム…と変更され、撮影者の意図するモードに設定することができる。
【００４４】
また、メイン電子ダイヤル８を逆回転させた時は、プログラム→マニアル→Ａｖ優先→Ｔｖ優先→プログラム→…とモードは変更される。また、撮影モード選択ボタン９とメイン電子ダイヤル８によりＴｖ優先がモードとして設定されている場合には、メイン電子ダイヤル８を回転させることにより撮影者の希望するＴｖ値に設定することができる。
【００４５】
また、撮影モード選択ボタン９とメイン電子ダイヤル８によりＡｖ優先がモードとして設定されている場合には、メイン電子ダイヤル８を回転させることにより撮影者の希望するＡｖ値を設定することができる。
【００４６】
測光モード選択ボタン１１とＡＦ選択モードボタン１０を同時に押し込んだ状態でメイン電子ダイヤル８を操作すると撮像時の撮像感度を変更する事が出来る。
【００４７】
測光モード選択ボタン１１と撮影モード選択ボタン９を同時に押し込んだ状態でメイン電子ダイヤル８を操作すると単写・連写・セルフタイマーの何れかからドライブモードを選択する事が出来る。
撮影モード選択ボタン９とＡＦモード選択ボタン１０を同時に押し込んだ状態でメイン電子ダイヤル８を操作するとＡＥＢ撮影モードのブラケット段数を設定する事が出来る。
【００４８】
１３９は表示パネル照明ボタン１３を押し込むとオンする表示パネル照明ＳＷである。この表示パネル照明ＳＷ１３９がオンされると、第１のＬＣＤ１２を裏面から照明し、表示内容が暗闇でも読み取り可能な状態となる。
【００４９】
１３８は露出補正ボタン１４を押し込むとオンする露出補正ＳＷである。この露出補正ＳＷ１３８がオンさせた状態でメイン電子ダイヤル８を操作すると露出補正値を設定する事が出来る。１３５はメモリスロットカバー２９の開閉に応じてオン／オフするスロットカバー開閉検出ＳＷである。
【００５０】
１３０はメモリスロット選択ボタン２１を押し込むとオンするスロット選択ＳＷ（第２の操作部材）である。メモリスロット選択ボタン２１を押し込みスロット選択ＳＷ１３０をオンした状態で、サブ電子ダイヤル１７を操作して、撮像データの保存先・再生データの取得先・データ管理するスロットを選択する。第１のメモリスロット１１３（装着部）には第１のメモリカード１１４が着脱可能に装着される。１３６は第１のメモリカード検出ＳＷで、第１のメモリスロット１１３に第１のメモリカード１１４が装着された時にオンする。
【００５１】
第２のメモリスロット１１５（装着部）には第２のメモリカード１１６が着脱可能に装着される。１３７は第２のメモリカード検出ＳＷで、第２のメモリスロット１１５に第２のメモリカード１１６が装着された時にオンする。
【００５２】
メニューＳＷ１３１は、メニューボタン２２を押し込むとオンするスイッチである。メニューボタン２２を押し込み、メニューＳＷ１３１をオンさせ、サブ電子ダイヤル１７を操作する事で設定項目を選択する事が出来る。この時の設定項目は、第２のＬＣＤ２０に表示される。
【００５３】
ＳＥＬＥＣＴ（選択）ＳＷ１３２は、選択ボタン２３を押し込むとオンするスイッチである。選択ボタン２３を押し込みＳＥＬＥＣＴ（選択）ＳＷ１３２をオンし、サブ電子ダイヤル１７を操作する事で、メニューボタン２２で選択した設定項目の設定値を変更することができる。この時、設定項目の設定値の表示は、第２のＬＣＤ２０にて行なわれる。
【００５４】
ディスプレイＳＷ１３３は、ディスプレイボタン２４を押し込むとオンするスイッチである。ディスプレイボタン２４を押し込み、ディスプレイＳＷ１３３をオンさせると、第２のＬＣＤ２０にメモリカードに入っている画像を表示する。
【００５５】
消去ＳＷ１３４は、消去ボタン２５を押し込むとオンするスイッチである。第２のＬＣＤ２０に画像が表示されている時に消去ボタン２５を押し込み、消去ＳＷ１３４をオンさせると表示されている画像データをメモリカード上から削除する事が出来る。
【００５６】
また、消去ＳＷ１３４をオンした状態で保持すると、第２のＬＣＤ２０にメモリカードに保存された画像データを一括消去するかどうか問い合わせるメニューが表示され、サブ電子ダイヤル１７を操作して、一括消去を選択し、消去ボタン２５を解放し消去ＳＷ１３４をオフさせると、メモリカード内の画像データを一括消去する事が可能となる。
【００５７】
１２４は測光部で、不図示のフォーカシングスクリーンに結像された被写体像の輝度を、不図示の光学部材を介して測定するものであり、この測光部１２４の出力信号に基づいて露光時の露出制御を行うようになっている。１２５は焦点検出部で、該焦点検出部１２５の出力信号に基づいて撮影レンズ１５０は合焦位置へ駆動される。
【００５８】
１２１はメカニカルシャッター駆動部で、被写体光束の結像面への入射時間を機械的に制御するものである。このメカニカルシャッター駆動部１２１は、ファインダー観察時には被写体光束を遮光し且つ撮影時にはレリーズ信号に応じて光路から退避して露光を開始させる先羽根と、ファインダー観察時には被写体光束の光路から退避し且つ撮影時には先羽根の走行（駆動）開始後に所定のタイミングで被写体光束を遮光する後羽根とを有するフォーカルプレーンシャッターである。
【００５９】
撮影レンズ１５０を透過した被写体光束は、絞り駆動部１２３によって駆動される絞り羽根１５１とメカニカルシャッター駆動部１２１とでその光量が制限され、撮像素子１００上に結像する。このとき、撮像素子１００は、コントロール部１２０を介して電荷の蓄積時間が制御される。固体撮像素子１００の受光面に結像した被写体像は、各フォトセンサで光の入射光量に応じた量の信号電荷に変換され、撮像出力信号として順次読み出された後、アナログ信号処理部１０１に供給される。
【００６０】
アナログ信号処理部１０１は、ＣＤＳクランプ部やゲイン調整部等を含み、撮像素子１００から入力した撮像出力信号（アナログ電気信号）をコントロール部１２０の制御に基づいて適宜処理する。アナログ信号処理部１０１から出力された信号は、Ａ／Ｄ変換器１０２によってデジタル信号に変換された後、画像処理部１０３へ送られる。
【００６１】
画像処理部１０３は、ゲイン調整部１０４、オフセット部１０５、ヒストグラム生成部１０７及びデジタル信号処理部１０６等からなる。Ａ／Ｄ変換器１０２から出力されたデータは、ゲイン調整部１０４及びオフセット部１０５を経由して、ヒストグラム生成部１０７及びデジタル信号処理部１０６へ送られる。
【００６２】
ヒストグラム生成部１０７は、Ａ／Ｄ変換器１０２から送られた１画面分のデータから信号レベルに対する撮像素子信号の積算値の分布を示すヒストグラムを作成する。そして、このヒストグラム演算に基づいてゲイン値やオフセット値が決定され、ＣＰＵ１１７からコントロール部１２０を介してゲイン及びオフセットが制御される。
【００６３】
このように、ゲインとオフセットのコントロールを経由した信号は、デジタル信号処理部１０６に送られる。デジタル信号処理部１０６は、輝度（Ｙ）信号生成部及び色差（Ｃ）信号生成部を含み、オフセット部１０５から入力した信号をＹ／Ｃ信号処理する。そして、デジタル信号処理部１０６でＹ／Ｃ信号処理された画像データは、内部メモリ１０８に一時的に記憶される。
【００６４】
この内部メモリ１０８に記憶された画像データはデコードされた後、Ｄ／Ａ変換器１０９でアナログ信号に変換され、画像表示手段としての液晶モニタ等の第２のＬＣＤ２０に供給される。こうして、第２のＬＣＤ２０には、撮像素子１００で捉えた映像が表示される。この第２のＬＣＤ２０には、レリーズボタン７の操作によりオンするレリーズＳＷ２（１２７）によって発せられる撮影開始信号に基づいて撮影した静止画が表示される。
【００６５】
尚、Ｄ／Ａ変換器１０９でアナログ信号に変換された信号は、不図示のビデオ出力端子等から外部映像出力１１１として取り出すことができる。
【００６６】
また、撮影開始信号の入力に応じて取得した撮像の画像データは、内部メモリ１０８から圧縮／解凍部１１２に導かれ、ここで所定の形式（例えば、ＪＰＥＧ）に従って圧縮処理された後、記録媒体としての第１のメモリカード１１４もしくは第２のメモリカード１１６に記録される。
尚、第１のメモリカード１１４もしくは第２のメモリカード１１６に記録された画像データは、ＣＰＵ１１７を介して呼び出しが可能であり、該呼び出された画像データは、圧縮／解凍部１１２で解凍再生処理された後、内部メモリ１０８、Ｄ／Ａ変換器１０９を介して第２のＬＣＤ２０に出力され、または、不図示のビデオ信号出力端子等に供給され、他の外部機器に出力可能である。
【００６７】
ＣＰＵ１１７は、測光部１２４、焦点検出部１２５、コントロール部１２０、ヒストグラム生成部１０７、デジタル信号処理部１０６、内部メモリ１０８及び第１のメモリカード１１４、第２のメモリカード１１６、各ＳＷと接続されており、所定のアルゴリズムに従って露出値、撮影レンズ１５０の焦点位置等の各種演算を行ない、自動露光制御、オートフォーカス、オートストロボ、オートホワイトバランス等の制御を総括的に管理する。
【００６８】
また、ＣＰＵ１１７は、レリーズボタン７やメイン電子ダイヤル８，サブ電子ダイヤル１７，撮影モード選択ボタン９、ＡＦモード選択ボタン１０、測光モード選択ボタン１１等の操作部から入力される各種信号に基づいて該当する要素を制御する。
【００６９】
測光部１２４の出力信号はＣＰＵ１１７に送られ、このＣＰＵ１１７において露光時間を示す露出制御値が算出される。そして、得られた露出制御値は、ＣＰＵ１１７からコントロール部１２０に送られ、該コントロール部１２０を介して自動露光制御、オートストロボ、オートホワイトバランス等の制御が行なわれる。
【００７０】
温度センサ１１９はデジタルカメラ１の温度を測定するセンサである。ブザー１２８は、主に撮影時の警告などに音声を発する。１５２は第１のメモリカード１１４もしくは第２のメモリカード１１６へのアクセス状態を表示するためのＬＥＤであり、２色発光タイプとなっている。これは図２にて示されたアクセスランプ３０に配置されている。
【００７１】
コントロール部１２０は、ＣＰＵ１１７から送られた露出制御値に基づいて撮像素子１００の駆動部を制御し、電子シャッター制御モード時には、撮像素子１００の電荷蓄積時間を、また、メカニカルシャッター制御モード時には、メカニカルシャッター駆動部１２１の開閉タイミング等を制御すると共に、露光時に絞り駆動部１２６を制御する。
【００７２】
次に、図５のフローチャートを用いて、デジタルカメラ１の撮影動作について説明する。なお、以下のフローチャートはＣＰＵ１１７によって実行される。
図５は、本発明のデジタルカメラ１による撮影動作の概略を示すフローチャートであり、ステップＳ３００はデジタルカメラ１のメインスイッチ１９がオンされることによりカメラの電源が入った状態であり、ステップＳ３０１から動作を開始する。まず、ステップＳ３０１においては、レリーズボタン７が押し下げられ第１レリーズスイッチ１２６がオンされると、ステップＳ３０２において、測光部１２４を動作させて被写体での反射光を取り込み、Ａ／Ｄ変換して測光情報を得る。
【００７３】
そして、露出条件（絞り，シャッタースピード）の演算を行う。次にステップＳ３０３にて、焦点検出モードがオートフォーカスモード（ＡＦ）かマニュアルフォーカスモード（ＭＦ）かを判別し、ＭＦの場合はステップＳ３０５へ進み、ＡＦの場合はステップＳ３０４へ進む。
【００７４】
ステップＳ３０４では、焦点検出部１２５を用いて各焦点検出領域毎のフォーカス情報を算出する。そして、これらの焦点検出結果を基に既存のアルゴリズムでデフォーカス量算出演算を行ない、所定領域の焦点検出結果に基づきレンズ駆動量を演算した後に、合焦するようにレンズ駆動部１２２へレンズ駆動量を通信し、撮影レンズ１５０を合焦位置に駆動する。
【００７５】
そして、次のステップＳ３０５において、カメラの状態がレリーズを許可して良い状態か否かの判別を行う。例えば、ＡＦモードが「ワンショットモード」である場合において、ステップＳ３０４の焦点検出結果が合焦ならばレリーズは許可され、ステップＳ３０６へ進み、合焦でない場合はステップＳ３００に戻る。
【００７６】
上記の様にステップＳ３００に戻った後は、必要に応じてモード等の設定を行ない、ステップＳ３０１へと進む。そして、レリーズボタン７が押し下げられ第１レリーズスイッチ１２６がオンされると、再び測光，ＭＦ／ＡＦ判別，焦点検出動作を開始し（Ｓ３０２→Ｓ３０３→Ｓ３０４）、再度カメラの状態がレリーズを許可して良い状態か否かの判別を行う（Ｓ３０５）。
次のステップＳ３０６において、第２レリーズスイッチ１２７がオンすると、撮影動作を行うためにステップＳ３０７に進む。
ステップＳ３０７では、ステップＳ３０２にて算出された露出条件（絞り，シャッタースピード）に基づき撮像素子１００を露光する。そして、ステップＳ３０８に進み、撮像素子１００に撮像された画像信号を所定の形態の画像データに変換して、通常記録モードであれば記録媒体である第１及び第２のメモリカード１１４・１１６のうちいずれか一方に、同時記録モードであれば画像データと共に同時記録識別情報を第１及び第２のメモリカード１１４・１１６の双方に記録し撮影動作を終了する。
【００７７】
次に、図６及び図７を用いて、ＣＦカードからＳＤカードに切り替える際の動作について説明する。
図６は、メモリカードの切り替え動作を示すフローチャート、図７（ａ）は、スタンバイ状態の第１のＬＣＤ１２の一例を示す図であり、図７（ｂ）は、選択メモリカード切り替え操作時の第１のＬＣＤ１２の表示状態を示す図である。なお、図６のフローチャートはＣＰＵ１１７によって実行される。
【００７８】
図６において、まず、ステップＳ４００は、第１及び第２のメモリカード１１４、１１６からこれらを認識するための情報を読み出す。ステップＳ４０１は、メモリスロット選択ボタン２１の押し操作により、スロット選択ＳＷ１３０がオンしたか否かを判別し、オンされればステップＳ４０２へ、オンされなければスタンバイ状態に戻る。
【００７９】
ステップＳ４０２は、図７（ｂ）に示すように、メモリの種類を表す１２ｈをＣＦ表示からＳＤ表示に切り替え、更にメモリの撮影可能枚数を表す１２ｄをＣＦカードの撮影可能枚数からＳＤカードの撮影可能枚数のみを第１のＬＣＤ１２に表示する。図７（ａ）に示す状態は、現在ＣＦカード（例えば、第１のメモリカード１１４）が選択されており撮影可能枚数が１６７枚であることを示し、図７（ｂ）は、非選択メモリであるＳＤカード（例えば、第２のメモリカード１１６）の撮影可能枚数が６１枚であることを示しメモリカードの情報のみの表示であることからメモリカード切り替え動作中であることを示している。
【００８０】
ステップＳ４０３は、選択メモリと非選択メモリの切り替え操作であり、サブ電子ダイヤル１７の回転操作によりサブ電子ダイヤルＳＷ１４２がオンしたか否かを判別しオンすればステップＳ４０４へ、オンされなければステップＳ４０５へ進む。ステップＳ４０４は、非選択メモリを選択メモリへ、選択メモリを非選択メモリへ切り替え、ステップＳ４０２へ戻り、図７（ｃ）に示すように第１のＬＣＤ１２に選択メモリから非選択メモリへと切り替わったメモリの種類１２ｈと撮影可能枚数１２ｄを表示する。
【００８１】
ここでは、非選択メモリであったＳＤカードが選択メモリとなり、選択メモリであったＣＦカードが非選択メモリに切り替わっている。ステップＳ４０５は、ステップＳ４０１にてスロット選択ＳＷ１３０がオンされてから所定時間経過したか否かを判別し、所定時間経過していたら選択メモリカード切り替え動作を終了し、スタンバイ状態へ復帰し、所定時間経過していなければステップＳ４０６へ進む。
【００８２】
ステップＳ４０６は、レリーズボタン７が押し下げられ第１レリーズスイッチ１２６がオンしたか否かを判別し、オンしていなければステップＳ４０５へ戻り、オンしたら選択メモリカード切り替え動作を終了し、スタンバイ状態へ復帰する。
【００８３】
（第２の実施例）
次に、第２の実施例を図１乃至図５、図８及び図９を用いて説明する。尚、上記第１の実施例と同様の構成は、同一符号を付して説明を省略する。また、第２の実施例も、第１の実施例と同様に、デジタルカメラ以外のデジタルカメラ１によっても実現することができる。
【００８４】
図８は、メモリカードの切り替え動作を示すフローチャート、図９は選択メモリカード切り替え操作時の第１のＬＣＤ１２と第２のＬＣＤ２０との表示状態を示す図である。なお、図８のフローチャートはＣＰＵ１１７によって実行される。
【００８５】
図８において、まず、ステップＳ５００は、第１及び第２のメモリカード１１４、１１６からこれらを認識するための情報を読み出す。ステップＳ５０１は、メモリスロット選択ボタン２１の押し操作により、スロット選択ＳＷ１３０がオンしたか否かを判別しオンすればステップＳ５０２へ、オンされなければ待機状態に戻る。
【００８６】
ステップＳ５０２は、図９（ａ）に示すように、選択メモリの種類を表す１２ｈと選択メモリの撮影可能枚数を表す１２ｄ（第１の情報）を第１のＬＣＤ１２（第１の表示手段）に表示する。図９（ａ）に示す状態は、現在ＣＦカード（例えば、第１のメモリカード１１４）が選択されており撮影可能枚数が１６７枚であることを示している。
【００８７】
ステップＳ５０３は、図９（ｂ）に示すように、非選択メモリの種類を表す２０ａと非選択メモリの撮影可能枚数を表す２０ｂ（第２の情報）を第２のＬＣＤ２０（第２の表示手段）に表示する。図９（ｂ）に示す状態は、現在ＳＤカード（例えば、第２のメモリカード１１４）が非選択メモリでありＳＤカードへの撮影可能枚数が６１枚であることを示している。なお、本実施例では、メモリの種類が異なるが、同種のメモリであってもよい。
【００８８】
ステップＳ５０４は、選択メモリと非選択メモリの切り替え操作であり、サブ電子ダイヤル１７の回転操作によりサブ電子ダイヤルＳＷ１４２がオンしたか否かを判別し、オンすればステップＳ５０５へ、オンされなければステップＳ５０６へ進む。
【００８９】
ステップＳ５０５は、非選択メモリを選択メモリへ、選択メモリを非選択メモリへ切り替え、ステップＳ５０２へ戻り、図９（ｃ）に示すように第１のＬＣＤ１２に選択メモリの種類１２ｈと撮影可能枚数１２ｄを表示し、図９（ｄ）に示すように第２のＬＣＤ２０に非選択メモリの種類２０ａと撮影可能枚数２０ｂを表示する。ここでは、非選択メモリであったＳＤカードが選択メモリとなり、選択メモリであったＣＦカードが非選択メモリに切り替わっている。
【００９０】
ステップＳ５０６は、ステップＳ５０１にてスロット選択ＳＷ１３０がオンされてから所定時間経過したか否かを判別し、所定時間経過していたら選択メモリカード切り替え動作を終了し、スタンバイ状態へ復帰し、所定時間経過していなければステップＳ５０７へ進む。
【００９１】
ステップＳ５０７は、レリーズボタン７が押し下げられ第１レリーズスイッチ１２６がオンしたか否かを判別し、オンしていなければステップＳ５０６へ戻り、オンしたら選択メモリカード切り替え動作を終了し、スタンバイ状態へ復帰する。
【００９２】
尚、本実施例では、メモリの種類および撮影可能枚数の２つのメモリ情報を表示するように構成しているが、これらの情報に限らずメモリ容量、メモリ残容量、撮影済枚数、等のメモリ情報を表示してもよい。
【００９３】
以上説明したように、上述の実施例によれば、非選択記録媒体の撮影可能枚数等の諸情報を確認する際、１つの操作部材の操作により非選択記録媒体に関する情報の確認ができるので、記録媒体の選択変更を行う必要がなくなり、撮影を急いでいる時などのユーザーへの負担が減少しシャッターチャンスを逃すということもなくなる。
【００９４】
また、選択記録媒体に関する情報と非選択記録媒体に関する情報を異なる表示手段にて表示するので、ユーザーが選択記録媒体及び非選択記録媒体に関する情報を見誤るということもなくなる。
【図面の簡単な説明】
【００９５】
【図１】本発明の第１及び第２の実施例に係る撮像装置の上面の構成を示す図である。
【図２】本発明の第１及び第２の実施例に係る撮像装置の背面の構成を示す図である。
【図３】本発明の第１及び第２の実施例に係る第１のＬＣＤ１２の表示内容を示す図である。
【図４】本発明の第１及び第２の実施例に係る撮像装置の内部構成を示すブロック図である。
【図５】本発明の第１及び第２の実施例に係る撮像装置による撮影動作の概略を示すフローチャートである。
【図６】本発明の第１の実施例におけるメモリカードの切り替え動作を示すフローチャートである。
【図７】本発明の第１の実施例における第１のＬＣＤ１２の表示状態を示す図である。
【図８】本発明の第２の実施例におけるメモリカードの切り替え動作を示すフローチャートである。
【図９】本発明の第２の実施例における第１のＬＣＤ１２及び第２のＬＣＤ２０の表示状態を示す図である。
【符号の説明】
【００９６】
１      デジタルカメラ
７      レリーズボタン
８      メイン電子ダイヤル
１２    第１のＬＣＤ
１７    サブ電子ダイヤル
２０    第２のＬＣＤ
２１    メモリスロット選択ボタン
２９    メモリスロットカバー
３０    アクセスランプ
３１    第1のメモリスロット
３２    第２のメモリスロット
１００  固体撮像素子
１１４  第１のメモリカード
１１６  第２のメモリカード
１１９  温度センサ
１６０  ダビング制御部
１６１  ダビング操作部
【図１】
2006033622.tif 000003
【図２】
2006033622.tif 000004
【図３】
2006033622.tif 000005
【図４】
2006033622.tif 000006
【図５】
2006033622.tif 000007
【図６】
2006033622.tif 000008
【図７】
2006033622.tif 000009
【図８】
2006033622.tif 000010
【図９】
2006033622.tif 000011